(57)【要約】２個の表示装置を備え、折りたたみ可能な携帯機器は、通話を開始する前に折りたたんだ部分を展開する必要がある、撮像装置を備えた場合、被写体側からは撮影画像を確認することができないという課題があった。本発明の携帯機器は、操作部（８）を有する本体（２）に、表示側筐体（１００）をヒンジ部（３）を介して折りたたみ可能に連結する。表示側筐体（１００）はヒンジ部（３）に連結された下部筐体（１）と、この下部筐体（１）に対して表裏反転可能に連結された上部筐体（５１）とで構成する。下部筐体（１）の一面に撮像装置（６）を備え、他面に第１表示装置（４）を備える。上部筐体（５１）の一面には第２表示装置（５４）を備え、両表示装置に撮影画像を表示可能とする。
2004047412.tif 000002
【特許請求の範囲】
【請求項１】
操作部（８）を有する本体（２）、
表裏２面を有し、１面に画像を表示可能な第１表示装置（４）を有し、ヒンジ部を介して前記本体（２）に対して折りたたみ可能に連結された下部筐体（１）、
表裏２面を有し、１面に画像を表示可能な第２表示装置（５４）を有し、前記第１表示装置の面にほぼ平行な軸の回りに反転する反転機構（１１）を介して前記下部筺体（１）と連結された上部筐体（５１）、
前記下部筺体または前記上部筐体のいずれかに取り付けられ前記操作部により撮像操作され、撮像した画像を前記第１表示装置又は前記第２表示装置に表示する撮像装置（６）を備えたことを特徴とする携帯機器。
【請求項２】
前記第１表示装置（４）は、前記下部筐体（１）が折りたたまれたとき、前記本体（２）に接する側の面に設けられ、
前記撮像装置（６）は前記下部筐体の前記第１表示装置（４）が設けられた面の裏面に設けられたことを特徴とする請求項１記載の携帯機器。
【請求項３】
前記第１表示装置は前記下部筐体の一面に配置され、前記撮像装置（６）は前記下部筐体の前記一面の前記第１表示装置のない部分の背面に配置されていることを特徴とする請求項２に記載の携帯機器。
【請求項４】
前記第１表示装置は前記下部筐体の一面の一端に配置され、前記撮像装置（６）は前記下部筐体の前記一面の他端の裏面側に配置されていることを特徴とする請求項２に記載の携帯機器。
【請求項５】
前記撮像装置（６）は前記上部筐体（５１）の前記第２表示装置（５４）が設けられた面の背面に設けられたことを特徴とする請求項１記載の携帯端末装置。
【請求項６】
前記撮像装置（６）は前記上部筐体（５１）の前記第２表示装置（５４）が設けられた面に設けられたことを特徴とする請求項１記載の携帯端末装置。
【請求項７】
前記撮像装置（６）は前記下部筐体（１）の前記第１表示装置（４）が設けられた面に設けられたことを特徴とする請求項１記載の携帯端末装置。
【請求項８】
前記第１表示装置は前記下部筺体の一面の一端に配置され、前記撮像装置（６）は前記一面の他端に配置されていることを特徴とする請求項７に記載の携帯機器。
【請求項９】
通信手段（９９）と、前記通信手段に接続され前記上部筐体（５１）に設けた受話部（７）と、前記通信手段に接続され前記下部筐体を折りたたんだとき外部になり、開いたとき内部となる前記ヒンジ部（３）上の位置に設けられ、前記下部筐体を折りたたんだ状態で送話可能とした送話部（５９）とを備えたことを特徴とする請求項１に記載の携帯端末装置。
【発明の詳細な説明】
【技術分野】  本発明は、撮像装置を備え、折りたたみ可能な構造を有する携帯機器に関する。
【背景技術】  携帯情報端末装置（以下、携帯機器、又は携帯情報機器とも言う、携帯電話器、モバイル、携帯無線機の他、情報端末装置を含む）では、電子メール、インターネットやゲーム等、非音声での情報として文字や画像を表示するため、表示装置を設けることが必須で、かつその大画面化が進んでいる。
一方で、その携帯性も重要視され、大画面の表示装置を搭載していても小型になり、容易に持ち運びできる携帯情報機器として、特許文献１に示されたような構造を有していた。
特許文献１  日本国特公第３１８９８１８号  図６
上記特許文献に開示の携帯機器は、主な構成部として、表示側筐体部と操作側筐体部とこれらを連結するヒンジ部とからなる。以下の説明では、表示側筐体、操作側筐体のいずれについても、折りたたんだとき表示側筐体と操作側筐体とが接する側を正面側といい、接しない側（折りたたんだ外側）を背面側と言う。
通常、表示側筐体部の正面側の上部に受話部（スピーカ）を、操作側筐体部の正面側にキー操作部（以下操作部）、及び正面側下部に送話部（マイクロホン）を備えている。通信に必要な電子回路機器やバッテリ、アンテナなどは図示してないが内蔵されている。
以下、特に折りたたみ型と断らない場合もあるが、ここで説明する携帯機器は全て折りたたみ型である。折りたたんだ状態では、受話部も送話部も外表面には出ていないため、音声通話をすることができず、着信しても装置を展開するまでは通話ができないと言う操作上の課題があった。
また、特許文献１の図２には、表示側筺体部８１全体を表裏反転させ得る構造のものが開示されている。連結部の第一半球部には第二送話部が、またメイン表示装置の反対側（裏面側）には第二受話部が設けられており、折りたたんだ状態で音声通話することができる。この折りたたみ型携帯機器では、仮に撮像装置を設ける場合、これをメイン表示装置の裏面側に配置させた場合には、自分の顔の撮影時に映像を確認することが出来ない。また同一方向に配置させた場合には、風景等の撮影時に映像を確認することが出来ないといった操作視認性の課題があった。
また、以上に説明した撮像装置付き携帯機器に限らず、従来の一般的カメラは、被写体となる人から、あるいはセルフタイマーを用いて撮影する人からは撮影される自分の構図やポーズ、表情を確認することができなかった。そのため、頭部が切れた写真が撮影されてしまうなどの失敗が少なくなかった。
本発明は、上記のような従来の問題点に鑑みてなされたものであり、撮像装置を有し、折りたたみ可能で、操作性および携帯性の向上が計られた携帯機器を得ることを目的としている。
【発明の開示】
この発明の携帯機器は、操作部８を有する本体２、
表裏２面を有し、１面に画像を表示可能な第１表示装置４を有し、ヒンジ部を介して前記本体２に対して折りたたみ可能に連結された下部筐体１、
表裏２面を有し、１面に画像を表示可能な第２表示装置５４を有し、前記第１表示装置の面にほぼ平行な軸の回りに反転する反転機構１１を介して前記下部筐体１と表裏反転可能に連結された上部筐体５１、
前記下部筐体または前記上部筐体のいずれかに取り付けられ前記操作部により撮像操作され、撮像した画像を前記第１表示装置又は前記第２表示装置に表示する撮像装置６を備えたものである。
この構成により、第２表示装置は携帯機器の正面側にむけたり、背面側にむけたり、自在に反転させて使用できるので、被写体となる側からも、撮影される自分の構図やポーズ、表情を確認することができるという操作視認性の向上効果がある。
また、前記下部筐体を折りたたんだとき外部になり、前記下部筐体を開いたとき内部となる前記ヒンジ部上の位置に設けられ、折りたたんで送話可能な送話部を備えたものである。
この構成により、折りたたんだ状態でも音声通話を行うことができ、操作性の向上に効果がある。
【図面の簡単な説明】  第１図は、この発明の実施の形態１に係る携帯機器で表示側筐体部の表示装置を正面側にセットして開いた状態を示す正面側からの斜視図、第２図は第１図の背面側からの斜視図、第３図は第１図の部分分解図、第４図は第３図の部分詳細構造図である。
第５図は第１図の第２表示装置を正面側にセットして折りたたんだ状態を示す斜視図、第６図は第５図の表示装置を背面側にセットして折りたたんだ状態を示す斜視図である。
第７図は表示側筐体部の表示装置を背面側にセットして開いた状態で人物を撮像する説明図、第８図は第７図の状態を被写体側から見た説明図である。
第９図は、表示側筐体部の表示装置を背面側にセットして開いた状態でセルフタイマーを用いて人物を撮像するとき説明図である。
第１０図は表示側筐体部の表示装置（第２表示装置）を背面側にセットして閉じた状態で自分撮りするときの説明図である。
第１１図は、第１，第２表示装置の表示画面を両方とも文字画面とした一使用例を示す図、第１２図は第１，第２表示装置の表示画面を両方とも画像画面とした一使用例を示す図、第１３図は第１表示装置を画像画面とし、第２表示装置を文字画面とした一使用例を示す図、第１４図は、第１表示装置を文字画面とし、第２表示装置を画像画面とした一使用例を示す図、第１５図は第１表示装置をガイド行画面とし、第２表示装置を文字画面とした一使用例を示す図、第１６図は第１表示装置をガイド行画面とし第２表示装置を画像画面とした一使用例を示す図である。
第１７図はこの発明の実施の形態２に係る携帯機器で第２表示装置を背面側にセットして開いた状態を示す斜視図、第１８図は第１７図の携帯機器を背面側から見た斜視図、第１９図は第１７図の携帯機器で第２表示装置を正面側にセットして折りたたんだ状態を示す斜視図、第２０図は同じく第２表示装置を背面側にセットして折りたたんだ状態を示す斜視図である。
第２１図はこの発明の実施の形態３に係る携帯機器で第２表示装置を正面側にセットして開いた状態を示す正面側からの斜視図、第２２図は第２１図のものを背面側から見た斜視図である。第２３図は第２１図のものの第２表示装置を正面側にセットして折りたたんだ状態を示す斜視図、第２４図は第２３図のものにおいて第２表示装置を背面側にセットして折りたたんだ状態を示す斜視図である。
第２５図はこの発明の実施の形態４に係る携帯機器で第２表示装置を正面側にセットして開いた状態を示す正面側からの斜視図、第２６図は第２５図のものを背面側から見た斜視図、第２７図は第２６図のものを折りたたんだ状態を示す斜視図、第２８図は第２５図のものの第２表示装置を背面側にセットして折りたたんだ状態を示す斜視図である。
第２９図はこの発明の実施の形態５に係る携帯機器で第２表示装置を正面側にセットとして開いた状態を示す斜視図、第３０図は第２９図のものを背面側から見た斜視図、第３１図は第２９図のものの表示側筺体を折りたたんだ斜視図、第３２図は第３１図のものの表示装置を背面側にセットして折りたたんだ状態を示す斜視図である。
第３３図はこの発明の実施の形態６に係る携帯機器で第２表示装置を正面側で開いた状態を示す斜視図、第３４図は第３３図のものを背面側から見た斜視図、第３５図は第３４図のものを折りたたんだ斜視図、第３６図は第３５図のものの第２表示装置を背面側にセットして折りたたんだ状態を示す斜視図である。
第３７図はこの発明の実施の形態７に係る携帯機器で第２表示装置を正面側にセットして開いた状態を示す正面側からの斜視図、第３８図は第３７図のものを背面側から見た斜視図、第３９図は第３８図のものを折りたたんだ斜視図、第４０図は第３９図のものの第２表示装置を背面側にセットして折りたたんだ状態を示す斜視図である。
第４１図はこの発明の実施の形態８に係る携帯機器で表示側筺体部の表示装置を正面側にセットして開いた状態を示す斜視図、第４２図は第４１図のものの構成を説明する分解斜視図、第４３図は第４１図のものを折りたたんだ状態を示す斜視図、第４４図は第４３図のものの第２表示装置を背面側にセットして折りたたんだ状態を示す斜視図である。
第４５図はこの発明の実施の形態９に係る携帯機器を示す斜視図である。
【発明を実施するための最良の形態】実施の形態１．
第１図は本発明の実施の形態１に係る折りたたみ可能な携帯機器（以下、携帯情報端末とも言う、携帯電話器、モバイル、携帯無線機を含む）の斜視図、第２図は第１図のものを背面から見た斜視図である。第１図及び第２図に示すように、この携帯機器は、ヒンジ装置３を備えた下部筐体１とこの下部筐体１に対して表裏が反転できるように回転装置（図示しない）により連結された上部筐体５１とで構成される表示側筐体１００を有する。ヒンジ部３には操作部８を有する操作側筐体（本体とも言う）２が連結されている。表示側筐体１００の正面側の上部に受話部（スピーカ）７を、操作側筐体２の正面側にキー操作部（以下操作部）８、及び正面側下部に送話部（マイクロホン）９を備えている。また、必要に応じて、通信に必要な電子回路機器やバッテリ、アンテナなど（総称して通信手段９９という）が内蔵されている。送受話部はいずれも通信手段９９に接続されている。操作側筐体２の側面には各種の操作に切り替えて使用可能なサイドキー５８を設けている。
この構造を詳細に示すため第３図に部分分解図を示す。第３図に示すように、表示側筐体１００の下部筐体１と上部筐体５１との間に、ヒンジ部３の軸に対して垂直方向に回転軸１１を備えている。第４図は回転軸１１付近の構成や配線を示す図である。回転軸１１は、表示側筐体１００を構成する下部筐体１と上部筐体５１とを連結し、上部筐体５１を表裏反転可能に回動させる。また、回転軸１１は、パイプ状となっており、中を配線１２が通っており、下部筐体１と上部筐体５１とを電気的に接続している。
下部筐体１の背面側（第１図に向かって背面側）に撮像装置６と、正面側に第１表示装置４を備えており、上部筐体５１には第２表示装置５４を備えている。
下部筐体１と上部筐体５１の長さ寸法比、及び、第１表示装置４と第２表示装置５４の縦寸法比は任意であり、図示は一例を示すものである。第５図は第２表示装置５４を正面側（第１図に向かって）にセットして折りたたんだ状態を示す図であり、第６図は第２表示装置５４を背面側（第１図に向かって背面側）にセットして折りたたんだ状態を示す図である。
撮像装置６で撮影中の映像は第１表示装置４と第２表示装置５４の両者に同時に表示することが出来る。
これにより、第２表示装置５４を背面側に向け、表示側筐体１００と操作側筐体２とを互いに開いた状態で人物などを撮影する場合、第７図に示すように撮影者１０１は第１表示装置４で被写体１０２を確認できるだけでなく、第８図のように被写体となる人物１０２からも第２表示装置５４に写る自分の構図やポーズ、表情を確認することができる。このことは、セルフタイマー（図示しない）を用いて撮影する場合、撮影者はまず第１表示装置４で背景もしくは他の被写体となる人物を確認しながら台の上などに携帯機器を設置し、次に第９図に示すように、シャッターが落ちるとき自分の構図やポーズ、表情を第２表示装置５４で確認することができ、頭部が切れた写真を撮影してしまうなどの失敗がなくなる。
また、第１０図に示すように、第２表示装置５４を背面側に向け、表示側筐体１００を操作側筐体２に閉じた状態で、第２表示装置５４で自分の構図、表情を確認しながら操作側筐体２の側面のサイドキー５８を押すことにより自分の撮影が可能である。
また、音声通話や、電子メール、インターネットやゲーム等の文字や画像は、第１表示装置４および第２表示装置５４のいずれか一方または両方を任意に選択して表示させることが出来る。両表示装置を使って画面操作を行うときは、第１図に示すように、第２表示装置５４を正面側（第１，第２表示装置がともに同じ方向に向く状態）に向け、表示側筐体１００と操作側筐体２を互いに開いた状態で行う。
文字や画像の表示パターンは、第１１図から第１６図に示すパターンをとることができる。即ち、第１１図は、第１表示装置４および第２表示装置５４の両表示部でともに文字情報を見るパターン。第１２図は、両表示部とも画像表示としたもので、前述のような撮影に用いたり、撮影した画像を見るときに片方の画面をサムネイル（縮小画像）とし、もう片方の画面で拡大画像を観るといったパターンもある。第１３図と第１４図は、一方の表示装置の表示を文字情報とし、他方の表示を画像とすることにより、メールの送受の場合は、添付する画像を観ながら文字を入力したり、受け取ったメールを読みながら画像を観るパターンで、撮影した画像を保存したり見たりする場合には、写真を見ながらコメントを入力したり読んだりすることも可能となる。第１５図と第１６図は、片方の画面表示をメール送受信や撮影を行う上でのガイド画面としたパターンである。
折りたたむとき、第２表示装置５４を背面側（外側）に向けて折りたたみ第６図のようにすることにより、折りたたんだ状態でも受信時の発呼者情報や、時刻、スケジュール等の情報を第２表示装置で見ることができ、操作側筐体２の側面のサイドキー５８を利用すれば簡単な操作により、閉じたまま受信したメールを読むことも可能となる。サイドキーの位置は図示に限らず折りたたんだとき外部から操作できる位置であればよい。
実施の形態２．
第１７図は本発明の実施の形態２に係る携帯機器の斜視図、第１８図は第１７図のものを裏面から見た図である。第１７図及び第１８図に示すように、本発明の携帯機器の下部筐体１の正面側の片側半分の位置に第１表示装置４を備え、背面側のもう片側半分の位置（即ち互いが重ならない位置）に撮像装置６を備えている。上部筐体５１が下部筐体１に対して反転可能に連結されている点は実施の形態１と同じである。
第１９図は、第２表示装置５４を正面側にセットして折りたたんだ状態を示す図であり、第２０図は、第２表示装置５４を背面側にセットして折りたたんだ状態を示す図である。
即ち、第２０図のように折りたたんだとき、表示側筐体１００の第２表示装置５４を、折りたたんだときの外面に向けることができるため、従来のように背面側サブ表示装置５（第４９図）を設ける必要がない。また、第１表示装置４の裏面と撮像装置６の裏面には他の部品等を設置しない構造としたことで、表示側筐体１００の薄型化が可能となる。即ち、第１表示装置４は一面に配置し、撮像装置６は前記面の第１表示装置かない部分の裏面にあたる位置に設ける。あるいは第１表示装置４は一面の片側に寄せて配置し、撮像装置６は前記面の他の端の裏面にあたる位置に設ける。
また、第１７図と第１８図のように第２表示装置５４を背面側に向け、表示側筐体１００を開いた状態で人物を撮影する場合、撮影者は第１表示装置４で被写体を確認でき、被写体となる人物も第２表示装置５４で撮影される自分の構図やポーズ、表情を確認することができる。このことはセルフタイマーを用いて撮影する場合に、撮影者は携帯機器を第１表示装置４で背景もしくは他の被写体となる人物を確認しながら台の上に設置し、次に撮影者が被写体位置から第２表示装置５４で撮影される自分の構図やポーズ、表情を確認することができることなので、頭部が切れた写真等の撮影の失敗がなくなる。さらに、この状態で、通常の音声通話や、電子メール、インターネットやゲーム等の文字や画像を第１、第２表示装置４、５４に表示してキー操作を行うことができる。
また、第２０図のように第２表示装置５４を背面側に向け表示側筐体１００を閉じた状態で、第２表示装置５４で自分の構図、表情を確認しながら操作側筐体２の側面のサイドキー５８を押すことにより自分撮りが可能で、また、受信時の発呼者情報や時刻等の情報を見ることができたり、操作側筐体部２の側面のサイドキー５８を利用すれば簡単な操作により、閉じたまま受信したメールを読むことも可能となる。
実施の形態３．
第２１図〜第２４図は本発明の実施の形態３に係る携帯機器の斜視図、第２２図は第２１図を背面側から見た図である。
下部筐体１の正面側に撮像装置６を、背面側に第１表示装置４を備えている。第２３図は、第２表示装置５４を正面側にセットして折りたたんだ状態を示す図であり、第２４図は、第２表示装置５４を背面側にセットして折りたたんだ状態を示す図である。上部筐体５１が下部筐体１に対して反転可能に連結されている点は実施の形態１と同じである。
即ち、第２１図のように第２表示装置５４を正面側に向け表示側筐体１００を開いた状態で人物を撮影する場合、撮影者は第１表示装置４で被写体を確認できるたけでなく、被写体となる人物からも第２表示装置５４で撮影される自分の構図やポーズ、表情を確認することができる。
また、上記のように開いた状態でセルフタイマーを用いて撮影する場合でも、撮影者は携帯機器を第１表示装置４で背景もしくは他の被写体となる人物を確認しながら台の上に設置し、次に被写体位置から第２表示装置５４で撮影される自分の構図やポーズ、表情を確認することができ、頭部が切れた写真等の撮影の失敗がなくなる。
また、上記のように開いた状態で、第２表示装置５４で自分の構図、表情を確認しながら自分撮りが可能であり、撮像装置６が正面側で操作キー８の側に設置されることによってテレビ電話も容易となる。
さらに、上記のように開いた状態で、通常の音声通話や、電子メール、インターネットやゲーム等の文字や画像を第２表示装置５４に表示してキー操作を行うことができる。
また、第２３図のように第２表示装置５４を正面側に向け表示側筐体１００を折りたたんだ状態でも受信時の発呼者情報や時刻等の情報を第１表示装置４で見ることができる。
また、第２４図のように第２表示装置５４を背面側に向け折りたたんだ状態でも操作側筐体部２の側面のサイドキー５８を利用すれば、簡単な操作により、閉じたまま受信したメールを読むことも可能となる。
実施の形態４．
第２５図〜第２８図は本発明の実施の形態４に係る携帯機器の斜視図である。
第２５図、第２６図に示すように、下部筐体１の正面側に第１表示装置４を備え、上部筐体５１の第２表示装置５４の裏面に撮像装置６を備えている。第２７図は、第２表示装置５４を正面側にセットして折りたたんだ状態であり、第２８図は第２表示装置５４を背面側にセットして折りたたんだ状態である。上部筐体５１が下部筐体１に対して反転可能に連結されている点は実施の形態１と同じである。
即ち、第２表示装置５４を背面側に向け、撮像装置６を正面側に向けて表示側筐体１００を開いた状態で人物を撮影する場合、撮影者は第２表示装置４で被写体を確認できるだけでなく、被写体となる人物からも第１表示装置４で撮影される自分の構図やポーズ、表情を確認することができる。
また、上記のように開いた状態でセルフタイマーを用いて撮影する場合でも、撮影者は第２表示装置５４で背景もしくは他の被写体となる人物を確認しながら携帯機器を台の上に設置し、撮影者も被写体位置から第１表示装置４で撮影される自分の構図やポーズ、表情を確認することができ、頭部が切れた写真等の撮影の失敗がなくなる。
また、図示しないが、表示側筐体の第２表示装置５４を背面側つまり撮像装置６を正面側に向け表示側筐体１００を開いた状態で、第１表示装置４で自分の構図、表情を確認しながら自分撮りが可能であり、撮像装置が正面側で操作キー側に設置できることによってテレビ電話も容易となる。
さらに、第２５図に示すように、表示側筐体１００の第２表示装置５４を正面側に向け、表示側筐体１００を開いた状態で、通常の音声通話や、電子メール、インターネットやゲーム等の文字や画像を第２表示装置５４および第１表示装置４に表示して、キー操作を行うことができる。
さらに、第２表示装置５４を背面側に向けることにより、第２８図のように折りたたんだ状態でも受信時の発呼者情報や時刻等の情報を見ることができ、操作側筐体部２の側面のサイドキー５８を利用すれば簡単な操作により、閉じたまま受信したメールを読むことも可能となる。
実施の形態５．
第２９図〜第３２図は本発明の実施の形態５に係る携帯機器の斜視図である。
第２９図及び第３０図に示すように、下部筐体１の背面側に第１表示装置４を設け、上部筐体５１の第２表示装置５４の裏面側に撮像装置６を備えている。第３１図は、第２表示装置５４を正面側にセットして折りたたんだ状態であり、第３２図は、第２表示装置５４を背面側にセットして折りたたんだ状態である。上部筐体５１が下部筐体１に対して反転可能に連結されている点は実施の形態１と同じである。
即ち、第２９図に示すように第２表示装置５４を正面側に向け、撮像装置６を背面側に向けて表示側筐体１００を開いた状態で、人物を撮影する場合、撮影者は第２表示装置５４で被写体を確認できるだけでなく、被写体となる人物からも第１表示装置４で撮影される自分の構図やポーズ、表情を確認することができる。
また、上記のように開いた状態でセルフタイマーを用いて撮影する場合でも、撮影者は第２表示装置５４で背景もしくは他の被写体となる人物を確認しながら携帯機器を台の上などに設置し、次に被写体位置から第１表示装置４で撮影される自分の構図やポーズ、表情を確認することができ、頭部が切れた写真等の撮影の失敗がなくなる。
また、第２９図のように第２表示装置５４を正面側に向け、撮像装置６を背面側に向けて、表示側筐体１００を閉じた状態で、第１表示装置４で自分の構図、表情を確認しながら操作側筐体部２の側面のサイドキー５８を押すことにより自分撮りが可能である。
さらに、第２９図に示すように、第２表示装置５４を正面側に向けて表示側筐体１００２を開いた状態で、通常の音声通話や、電子メール、インターネットやゲーム等の文字や画像を第２表示装置５４に表示して、キー操作を行うことができる。
さらに、第２表示装置５４を背面側に向けることにより、第３２図のように折りたたんだ状態でも受信時の発呼者情報や時刻等の情報を見ることができ、操作側筐体部２の側面のサイドキー５８を利用すれば簡単な操作により、閉じたまま受信したメールを読むことも可能となる。
さらに、第２表示装置５４を正面側に向け、表示側筐体１００を開いた状態で、通常の音声通話や、電子メール、インターネットやゲーム等の文字や画像を第２表示装置５４および第１表示装置４に表示して、表示を見ながらキー操作を行うことができる。
実施の形態６．
第３３図〜第３６図は本発明の実施の形態６に係る携帯機器の斜視図である。
第３３図及び第３４図に示すように、表示側筐体１００の下部筐体１の正面側に第１表示装置４を設け、上部筐体５１の第２表示装置５４と同一面で同一方向に撮像装置６を備えている。第３５図は、第２表示装置５４を正面側にセットして折りたたんだ状態であり、第３６図は、第２表示装置５４を背面側にセットして折りたたんだ状態である。上部筐体５１が下部筐体１に対して反転可能に連結されている点は実施の形態１と同じである。
即ち、図示していないが、第２表示装置５４を背面側つまり撮像装置６も背面側に向け、表示側筐体１００を開いた状態で人物を撮影する場合、撮影者は第１表示装置４で被写体を確認できるだけでなく、被写体となる人物からも第２表示装置５４で撮影される自分の構図やポーズ、表情を確認することができる。
また、上記のように開いた状態でセルフタイマーを用いて撮影する場合でも、撮影者は第１表示装置４で背景もしくは他の被写体となる人物を確認しながら携帯端末を台の上などに設置し、撮影者も被写体位置から第２表示装置５４で撮影される自分の構図やポーズ、表情を確認することができ、頭部が切れた写真等の撮影の失敗がなくなる。
また、第３３図に示すように表示側筐体１００の第２表示装置５４を正面側に向け、撮像装置６も正面側に向けて、表示側筐体１００を開いた状態で、第２表示装置５４で自分の構図、表情を確認しながら自分撮りが可能である。さらに、撮像装置が正面側で操作キー側に設置できることによってテレビ電話も容易となり、第２表示装置５４で通話相手の顔を確認と同時に第１表示装置４で自分の顔も確認することができる。
また、第３６図のように第２表示装置５４を背面側つまり撮像装置６を背面側に向け、表示側筐体１００を閉じた状態でも、第２表示装置５４で自分の構図、表情を確認しながら操作側筐体部２の側面のサイドキー５８を押すことにより自分撮りが可能である。
さらに、第３３図に示すように、第２表示装置５４を正面側に向け、表示側筐体１００を開いた状態で、通常の音声通話や、電子メール、インターネットやゲーム等の文字や画像を第２表示装置５４および第１表示装置４に表示して、キー操作を行うことができる。
さらに、表示側筐体１００の第２表示装置５４を背面側に向けることにより、第３６図のように折りたたんだ状態でも受信時の発呼者情報や時刻等の情報を見ることができたり、操作側筐体部２の側面のサイドキー５８を利用すれば簡単な操作により、閉じたまま受信したメールを読むことも可能となる。
実施の形態７．
第３７図〜第４０図は本発明の実施の形態７に係る携帯機器の斜視図である。
第３７図及び第３８図に示すように、下部筐体１の背面側に第１表示装置４を設け、上部筐体５１の第２表示装置５４の同一面で同一方向に撮像装置６を備えている。第３９図は、第２表示装置５４を正面側にセットして折りたたんだ状態であり、第４０図は、第２表示装置５４を背面側にセットして折りたたんだ状態である。上部筐体５１が下部筐体１に対して反転可能に連結されている点は実施の形態１と同じである。
即ち、第３７図に示すように第２表示装置５４を正面側、つまり撮像装置６も正面側に向け、表示側筐体１００２を開いた状態で人物を撮影する場合、撮影者は第１表示装置４で被写体を確認できるだけでなく、被写体となる人物からも第２表示装置５４で撮影される自分の構図やポーズ、表情を確認することができる。
また、上記のように開いた状態でセルフタイマーを用いて撮影する場合でも、撮影者は第１表示装置４で背景もしくは他の被写体となる人物を確認しながら携帯機器を台の上などに設置し、次に被写体位置から第２表示装置５４で撮影される自分の構図やポーズ、表情を確認することができ、頭部が切れた写真等の撮影の失敗がなくなる。
また、第３７図に示すように第２表示装置５４を正面側、つまり撮像装置６も正面側に向け、表示側筐体１００を開いた状態で、第２表示装置５４で自分の構図、表情を確認しながら自分撮りが可能である。さらに、撮像装置が正面側で操作キー８の側に設置できることによってテレビ電話も容易となる。
また、第４０図のように、第２表示装置５４を背面側、つまり撮像装置６も背面側に向け、表示側筐体１００を閉じた状態でも、第２表示装置５４で自分の構図、表情を確認しながら操作側筐体部２の側面のサイドキー５８を押すことにより自分撮りが可能である。
さらに、第３７図に示すように、第２表示装置５４を正面側に向け、表示側筐体１００を開いた状態で、通常の音声通話や、電子メール、インターネットやゲーム等の文字や画像を第２表示装置５４に表示して、キー操作を行うことができる。
さらに、第２表示装置５４を背面側に向けることにより、第４０図のように折りたたんだ状態でも受信時の発呼者情報や時刻等の情報を見ることができ、操作側筐体部２の側面のサイドキー５８を利用すれば簡単な操作により、閉じたまま受信したメールを読むことも可能となる。
実施の形態８．
第４１図〜第４４図は本発明の実施の形態４に係る携帯機器の斜視図である。
第４１図及び第４２図に示すように、上部筐体５１の第２表示装置５４の上（ヒンジ部から離れた方の端部）に受話部７、下部筐体１のヒンジ部（開いたとき正面に出て、閉じたとき外部に出る位置）に送話部５９を備えており、操作側筐体部２の側面にはサイドキー５８を設けている。第４３図は、第２表示装置５４および受話部７が正面側になるようにセットして折りたたんだ状態であり、第４４図は、第２表示装置５４および受話部７が背面側になるようにセットして折りたたんだ状態である。上部筐体５１が下部筐体１に対して反転可能に連結されている点は実施の形態１と同じである。
即ち、第２表示装置５４および受話部７を正面側に向け、表示側筐体１００を開いた状態で、受話部７と送話部５９を同一方向に向けることによって、通常の音声通話を行うことができる。また、第４４図のように、折りたたんだ状態でも第２表示装置５４で受信時の発呼者情報や時刻等の情報を見たり受信したメールを読むことができるだけでなく、折りたたんだ時のヒンジ部の回転により送話部５９も回転し背面側に露出し、着信時に折りたたんだ状態のままで、操作側筐体部２の側面のサイドキー５８を利用すれば簡単な操作により、音声通話を行うことができる。
これは、表示側筐体に上部筐体５１の構造を有するすべての折りたたみ可能な携帯機器に適用可能である。
実施の形態９．
実施の形態１〜実施の形態８では、第３図に示すように、上部筐体５４の回転軸１１はヒンジ部３の回転軸に直交する方向として説明した。しかし、要は上部筐体５１の第２表示装置５４の表示面が、下部筐体１の第１表示装置の表示面に対して反転すればよいのであるから、例えば第４５図に示すように回転軸１１の軸がヒンジ部３の軸と平行であってもかまわない。第４５図の構造は実施の形態１の第１図から実施の形態８の第４４図までの全てに適用することが出来る。
なお、以上の全ての実施の形態において、表示側筐体１００を折りたたんだとき、内側になって外部から見えない表示装置は自動的に表示が消えるように構成されていることはいうまでもない。
実施の形態１０．
実施の形態３の第１８図、第１９図、第２０図において、撮像装置６は第１表示装置４と同じ面に設けても良い。この場合、撮像装置６と第１表示装置４はそれぞれ下部筐体の一つの面の両端に配置される。
【産業上の利用可能性】  本発明の携帯機器は、携帯電話器に限らず、携帯無線機、モバイルとして用いることができる。
【図１】
2004047412.tif 000003
【図２】
2004047412.tif 000004
【図３】
2004047412.tif 000005
【図４】
2004047412.tif 000006
【図５】
2004047412.tif 000007
【図６】
2004047412.tif 000008
【図７】
2004047412.tif 000009
【図８】
2004047412.tif 000010
【図９】
2004047412.tif 000011
【図１０】
2004047412.tif 000012
【図１１】
2004047412.tif 000013
【図１２】
2004047412.tif 000014
【図１３】
2004047412.tif 000015
【図１４】
2004047412.tif 000016
【図１５】
2004047412.tif 000017
【図１６】
2004047412.tif 000018
【図１７】
2004047412.tif 000019
【図１８】
2004047412.tif 000020
【図１９】
2004047412.tif 000021
【図２０】
2004047412.tif 000022
【図２１】
2004047412.tif 000023
【図２２】
2004047412.tif 000024
【図２３】
2004047412.tif 000025
【図２４】
2004047412.tif 000026
【図２５】
2004047412.tif 000027
【図２６】
2004047412.tif 000028
【図２７】
2004047412.tif 000029
【図２８】
2004047412.tif 000030
【図２９】
2004047412.tif 000031
【図３０】
2004047412.tif 000032
【図３１】
2004047412.tif 000033
【図３２】
2004047412.tif 000034
【図３３】
2004047412.tif 000035
【図３４】
2004047412.tif 000036
【図３５】
2004047412.tif 000037
【図３６】
2004047412.tif 000038
【図３７】
2004047412.tif 000039
【図３８】
2004047412.tif 000040
【図３９】
2004047412.tif 000041
【図４０】
2004047412.tif 000042
【図４１】
2004047412.tif 000043
【図４２】
2004047412.tif 000044
【図４３】
2004047412.tif 000045
【図４４】
2004047412.tif 000046
【図４５】
2004047412.tif 000047
【国際調査報告】
2004047412.tif 000048
2004047412.tif 000049
2004047412.tif 000050